(57)【要約】【課題】釦やファスナー等の副材を必要とすることなく開口部を閉塞でき、しかもポケット本体に対して物を出し入れすることが容易なポケット開口部の閉塞構造を提供する。【解決手段】ポケット本体２に開口部７が設けられ、前記開口部７を覆って閉塞状態とする蓋フラップ３が前記ポケット本体２の周辺部に捲り上げ可能に設けられた構造である。前記ポケット本体２又は蓋フラップ３のいずれか一方側に差し込み部１１が設けられ、前記蓋フラップ３による開口部７の覆い状態で前記開口部７に向かった状態となって前記差し込み部１１に差し込まれるフック片１３が他方側に設けられていることを特徴とする。【選択図】図１
2011058127.tif 000002
【特許請求の範囲】
【請求項１】
ポケット本体（２）に開口部（７）が設けられ、前記開口部（７）を覆って閉塞状態とする蓋フラップ（３）が前記ポケット本体（２）の周辺部に捲り上げ可能に設けられた構造であって、
前記ポケット本体（２）又は蓋フラップ（３）のいずれか一方側に差し込み部（１１，１１Ａ）が設けられ、
前記蓋フラップ（３）による開口部（７）の覆い状態で前記開口部（７）に向かった状態となって前記差し込み部（１１、１１Ａ）に差し込まれるフック片（１３，２１，２２）が他方側に設けられていることを特徴とするポケット開口部の閉塞構造（１，１Ａ，１Ｂ，１Ｃ，１Ｄ，１Ｅ）。
【請求項２】
請求項１記載の発明であって、
前記フック片（１３，２１，２２）の差し込みを行う手懸かりとする操作窓（１７）が前記他方側に設けられていることを特徴とするポケット開口部の閉塞構造（１，１Ａ，１Ｂ，１Ｃ，１Ｄ，１Ｅ）。
【請求項３】
請求項１又は２記載の発明であって、
前記差し込み部（１１、１１Ａ）及びフック片（１３，２１，２２）が複数設けられていることを特徴とするポケット開口部の閉塞構造（１，１Ａ，１Ｂ，１Ｃ，１Ｄ，１Ｅ）。
【請求項４】
請求項１〜３のいずれか１項記載の発明であって、
前記フック片（１３，２１，２２）が前記他方側に引っ掛け可能な形状となっていることを特徴とするポケット開口部の閉塞構造（１，１Ａ，１Ｂ，１Ｃ，１Ｄ，１Ｅ）。
【請求項５】
請求項１〜４のいずれか１項記載の発明であって、
前記フック片（１３，２１，２２）及び／又は前記差し込み部（１１，１１Ａ）に芯材が設けられていることを特徴とするポケット開口部の閉塞構造（１，１Ａ，１Ｂ，１Ｃ，１Ｄ，１Ｅ）。
【請求項６】
請求項１〜５のいずれか１項記載の発明であって、
前記差し込み部（１１，１１Ａ）は、前記開口部（７）に沿ってポケット本体（２）又は蓋フラップ（３）のいずれか一方側に形成されたスリットであることを特徴とするポケット開口部の閉塞構造（１，１Ａ，１Ｂ，１Ｃ，１Ｄ，１Ｅ）。
【請求項７】
請求項１〜５のいずれか１項記載の発明であって、
前記差し込み部（１１，１１Ａ）は、前記開口部（７）に沿ってポケット本体（２）又は蓋フラップ（３）のいずれか一方の表側に取り付けられたベルト片（３１）であることを特徴とするポケット開口部の閉塞構造（１，１Ａ，１Ｂ，１Ｃ，１Ｄ，１Ｅ）。
【発明の詳細な説明】
【技術分野】
【０００１】
本発明は、ポケットの開口部を蓋フラップによって閉塞する閉塞構造に関する。
【背景技術】
【０００２】
食品工場やクリーンルームなどでは、衣服のポケット内に収容した物がポケットから落下し、異物として製品に混入することは好ましくない。このようなポケットからの物の落下を防止するため、ポケット本体の裏側に袋状の保持部を設け、この保持部の端部をポケット本体の内部に接合可能としてポケット本体の開口部を閉じる構造が開発されている（特許文献１、２、３参照）。しかし、この構造は、複雑なため、実用的ではない。
【０００３】
これに対し、収容物の落下を防止するための簡単な構造としては、次の２つの構造が実用化されている。
【０００４】
第１の構造は、蓋フラップを設け、蓋フラップによってポケット本体の開口部を閉塞する構造である。第１の構造においては、蓋フラップ又はポケット本体の一方に釦を取り付け、他方に釦挿入孔を形成したり、蓋フラップ及びポケット本体に面ファスナーなどのファスナーを取り付けることにより、蓋フラップによるポケット本体の開口部の閉塞状態を維持して物の落下を防止するようになっている。
【０００５】
第２の構造は、ポケット本体の開口部を逆玉縁構造とするものである。逆玉縁は、ポケット本体に相互に重なる二重の折返し部を形成し、二重の折返し部を通過させることにより、物をポケット本体に入れるようになっており、折返し部が二重のため、ポケット本体の開口部からの物の落下を防止することができる。
【先行技術文献】
【特許文献】
【０００６】
【特許文献１】特開２００４−１６９２５９号公報
【特許文献２】実用新案登録第３１０７６７７号公報
【特許文献３】実用新案登録第３１１１９０７号公報
【発明の概要】
【発明が解決しようとする課題】
【０００７】
しかしながら、第１の構造では、釦やファスナーなどの副材自体が破損したり、外れたりするため、副材の落下に起因した異物混入を防止することが難しい。又、副材が硬質であるため、ポケットの布材が擦れて塵が発生し、この塵が異物として製品に混入することもある。さらには、硬質の副材が製品に当たって製品を傷付ける危険性もある。
【０００８】
第２の構造では、複雑な二重の折返し部を通過させてポケット本体の内部に物を出し入れする必要があるため、物の出し入れがしにくい問題がある。又、逆玉縁とするためには、衣服の見頃に切り込みを形成する必要があり、切り込みから発生した糸くずが異物混入の原因となっている。
【０００９】
そこで、本発明は、副材を必要とすることなく開口部を閉塞でき、しかもポケット本体に対して物を出し入れすることが容易なポケット開口部の閉塞構造を提供することを目的とする。
【課題を解決するための手段】
【００１０】
請求項１記載の発明のポケット開口部の閉塞構造は、ポケット本体に開口部が設けられ、前記開口部を覆って閉塞状態とする蓋フラップが前記ポケット本体の周辺部に捲り上げ可能に設けられた構造であって、前記ポケット本体又は蓋フラップのいずれか一方側に差し込み部が設けられ、前記蓋フラップによる開口部の覆い状態で前記開口部に向かった状態となって前記差し込み部に差し込まれるフック片が他方側に設けられていることを特徴とする。
【００１１】
請求項２記載の発明は、請求項１記載のポケット開口部の閉塞構造であって、前記フック片の差し込みを行う手懸かりとする操作窓が前記他方側に設けられていることを特徴とする。
【００１２】
請求項３記載の発明は、請求項１又は２記載のポケット開口部の閉塞構造であって、前記差し込み部及びフック片が複数設けられていることを特徴とする。
【００１３】
請求項４記載の発明は、請求項１〜３のいずれか１項記載のポケット開口部の閉塞構造であって、前記フック片が前記一方側に引っ掛け可能な形状となっていることを特徴とする。
【００１４】
請求項５記載の発明は、請求項１〜４のいずれか１項記載のポケット開口部の閉塞構造であって、前記フック片及び／又は前記差し込み部に芯材が設けられていることを特徴とする。
【００１５】
請求項６記載の発明は、請求項１〜５のいずれか１項記載のポケット開口部の閉塞構造であって、前記差し込み部は、前記開口部に沿ってポケット本体又は蓋フラップのいずれか一方に形成されたスリットであることを特徴とする。
【００１６】
請求項７記載の発明は、請求項１〜５のいずれか１項記載のポケット開口部の閉塞構造であって、前記差し込み部は、前記開口部に沿ってポケット本体又は蓋フラップのいずれか一方の表側に取り付けられたベルト片であることを特徴とする。
【発明の効果】
【００１７】
請求項１記載の発明によれば、ポケット本体又は蓋フラップのいずれか一方側に差し込み部を設け、他方側にフック片を設けており、蓋フラップが開口部を覆った状態では、フック片が開口部に向かった状態となって差し込み部に差し込まれる。従って、蓋フラップがポケット本体の開口部を覆った閉塞状態とすることにより、フック部が差し込み部に差し込まれて係合する。
【００１８】
この構造では、フック片が開口部を覆った状態でフック片が差し込まれるため、フック片がポケット本体又は蓋フラップの一方側にしっかりと係合した状態となる。このため、蓋フラップが確実に開口部を閉塞する。このような状態では、ポケット本体内の物が開口部から落下することがなくなる。又、蓋フラップを捲り上げるだけでフック片が差し込み部から外れて開口部が開放される。このため、ポケット本体内に対して物の出し入れが容易となる。
【００１９】
このような請求項１記載の発明によれば、副材を必要とすることなく開口部を確実に閉塞できるため、副材の破損や外れ、擦れによる布材の塵に起因した異物混入を防止できると共に、副材の接触に起因した製品の傷付けをなくすことができる。又、複雑な逆玉縁構造とする必要がないため、ポケット本体に対して物の出し入れが容易となる。
【００２０】
請求項２記載の発明によれば、請求項１記載の発明の効果に加えて、操作窓を通じてフック片を直接に操作して差し込み部に差し込むことができる。このため、差し込み部へのフック片の差し込みが容易となる。
【００２１】
請求項３記載の発明によれば、請求項１及び２の発明の効果に加えて、差し込み部及びフック片が複数設けられるため、蓋フラップが開口部を覆った状態をさらに確実に維持することができる。
【００２２】
請求項４記載の発明によれば、請求項１〜３の発明の効果に加えて、フック片がポケット本体又は蓋フラップの一方側に引っ掛けられるため、フック片を強固に一方側に係合した状態とすることができる。このため、蓋フラップによる開口部への覆い状態が安定する。
【００２３】
請求項５記載の発明によれば、請求項１〜４の発明の効果に加えて、フック片又は／及び差し込み部に芯材を設けることにより、これらに張りを付与することができる。このため、蓋フラップの閉塞強度が向上すると共に、洗濯耐久性が向上する。
【００２４】
請求項６記載の発明によれば、請求項１〜５の発明の効果に加えて、差し込み部がスリットによって形成されるため、差し込み部を簡単に形成することができる。
【００２５】
請求項７記載の発明によれば、請求項１〜５の発明の効果に加えて、差し込み部がベルト片によって形成されるため、フック片の差し込み部への差し込み操作が容易となる。
【図面の簡単な説明】
【００２６】
【図１】本発明の第１実施形態の閉塞構造を示す全体斜視図である。
【図２】第１実施形態における開口部の閉塞状態を示す正面図である。
【図３】第１実施形態における蓋フラップの捲り上げ状態を示す正面図である。
【図４】第２実施形態における蓋フラップの捲り上げ状態を示す正面図である。
【図５】第３実施形態における蓋フラップの捲り上げ状態を示す正面図である。
【図６】第４実施形態における蓋フラップの捲り上げ状態を示す正面図である。
【図７】第５実施形態における蓋フラップの捲り上げ状態を示す正面図である。
【図８】第６実施形態における蓋フラップの捲り上げ状態を示す斜視図である。
【図９】布材の端部を簡易に縫代始末する例を示し、（ａ）はロック始末を示す斜視図、（ｂ）は三つ折始末を示す斜視図、（ｃ）はパイピング始末を示す斜視図である。
【発明を実施するための形態】
【００２７】
以下、本発明を図示する実施形態により具体的に説明する。なお、各実施形態において、同一の部材には同一の符号を付して対応させてある。
【００２８】
［第１実施形態］
図１〜図３は、本発明の第１実施形態におけるポケット開口部の閉塞構造１を示し、図１は、全体の斜視図、図２は、開口部を閉塞した状態の正面図、図３は、開口部を開放した状態の正面図である。
【００２９】
閉塞構造１は、ポケット本体２と、蓋フラップ３とを有している。ポケット本体２及び蓋フラップ３は、衣服４の表側における胸部や臀部等の適宜箇所に縫い付けにより取り付けられる。
【００３０】
ポケット本体２は、適宜の大きさの四角形に裁断された布材によって形成されている。ポケット本体２は、上辺部２ａを除く下辺部２ｂ、左辺部２ｃ及び右辺部２ｄが折り返され、これらの３つの辺部２ｂ、２ｃ、２ｄの折り返し部分を縫糸６によって衣服４の表側に縫い付けることにより、袋状となって衣服４に取り付けられている。ポケット本体２が袋状となることにより、ポケット本体２の内部に対して物出し入れすることができる。
【００３１】
上辺部２ａは、衣服４に縫い付けられることがなく、これにより袋状のポケット本体２の上部に開口部７が形成される。従って、開口部７を通してポケット本体２に対し物の出し入れを行うことができる。
【００３２】
蓋フラップ３は、ポケット本体２と同様に布材によって形成されている。蓋フラップ３は、ポケット本体２の開口部７と同等の幅又はそれ以上の幅を有した横長の四角形に裁断されたフラップ本体９を有しており、ポケット本体２の周辺部である開口部７の上側に位置するように衣服４の表側に取り付けられている。衣服４への取り付けは、フラップ本体９の一端側を衣服４に縫い付けることにより行われ、符号９ａは、衣服４に縫い付けられた固定部である。
【００３３】
フラップ本体９は、ポケット本体２の上部に重なることが可能な長さとなっており、ポケット本体２の上部に重なることによりポケット本体２の開口部７を閉塞する。又、フラップ本体９は、固定部９ａを除いた部分がフリー状態となっており、衣服４から離れる方向への捲り上げが可能となっている。フラップ本体９を捲り上げることにより、フラップ本体９がポケット本体２から離れるため、図１及び図３に示すように、ポケット本体２の開口部７が開放される。
【００３４】
この実施形態の閉塞構造１においては、差し込み部１１がポケット本体２に設けられ、フック片１３が蓋フラップ３のフラップ本体９に設けられている。
【００３５】
差し込み部１１は、開口部７よりも下方側に位置するようにポケット本体２の上部に設けられている。差し込み部１１は、ポケット本体２の上部に形成されたスリットにより構成されている。スリットからなる差し込み部１１は、開口部７と略平行となった状態で開口部７に沿うようにポケット本体２の上部における幅方向の略中央部分に形成されている。
【００３６】
一方、フック片１３をフラップ本体９に設けるため、この実施形態では、フラップ本体９に取付片１５が縫い付けられている。取付片１５は、フラップ本体９と同様な幅に裁断された布材からなり、フラップ本体９の自由端側に縫い付けられる。フック片１３は、取付片１５の裏側における幅方向の略中央部分に設けられており、フラップ本体９に縫い付けられることなく、フラップ本体９から離れることが可能となっている。
【００３７】
図１及び図３に示す蓋フラップ３の捲り上げ状態で示すように、フック片１３は、取付片１５の上述した位置からポケット本体２の方向に伸びるように設けられている。フック片１３は、ポケット本体２に設けた差し込み部１１に差し込まれるものであり、その幅は差し込み部１１よりも幾分小さいか略同等となっている。この実施形態において、フック片１３は、先端部分の角部が丸まった円弧状となった舌片形状に形成されるものである。先端部分の角部が丸くなっていることにより、差し込み部１１への差し込みを円滑に行うことができるメリットがある。
【００３８】
図１に示すように、フック片１３に対応した操作窓１７がフラップ本体９に設けられている。操作窓１７は、フラップ本体９におけるフック片１３との対応部位を四角形孔等に切り取ることにより形成されるものである。この操作窓１７を通じて指をフック片１３に当てて保持することにより、フック片１３の差し込み部１１への差し込みの手懸かりとすることができる。
【００３９】
次に、この実施形態の動作を説明する。
【００４０】
図１及び図３は、蓋フラップ３を捲り上げた状態であり、蓋フラップ３の捲り上げによりポケット本体２の開口部７が開放される。このため、ポケット本体２の内部に対して物を出し入れすることができる。
【００４１】
図２は、蓋フラップ３を捲り上げ状態から降ろして開口部７を覆った状態であり、開口部７が閉塞状態となる。この閉塞に続いて、操作窓１７を通じてフック片１３が開口部７に向かった状態となるように操作して、フック片１３を下側から差し込み部１１に差し込む。図２において、符号１３ａは、差し込み部１１に差し込まされたフック片１３の差し入れ部分である。かかるフック片１３の差し込み部１１への差し込みにより、フック片１３がポケット本体２にしっかりと係合する。従って、蓋フラップ３の開口部７を確実な閉塞状態とすることができる。このため、ポケット本体２内の物が開口部７から落下することがなくなる。
【００４２】
かかる開口部７の閉塞状態に対し、蓋フラップ３を捲り上げると、蓋フラップ３の捲り上げと共にフック片１３が差し込み部１１から簡単に外れて図１及び図３に示す開口部７の開放状態となる。これにより、ポケット本体２に対して物の出し入れが容易となる。
【００４３】
このような実施形態では、釦やファスナー等の副材を必要とすることなく開口部７を確実に閉塞できるため、副材の破損や外れ、副材との擦れによる布材の塵に起因した異物混入を防止できる。又、副材の接触に起因した製品の傷付けをなくすことができる。また、逆玉縁構造のように衣服の見頃に切込みを形成する必要がないため、切込みから糸くずが発生することがない。
【００４４】
また、図９に示すように、ポケット本体２や蓋フラップ３等の布材の端部を簡易に縫代始末（ロック始末、三つ折始末、パイピング始末等）することができるので、布材の端部から糸くずが発生して異物が混入することを防止できる。
【００４５】
さらには、複雑な逆玉縁構造とする必要がないため、ポケット本体２に物を入れることが容易となる。
【００４６】
以上に加えて、この実施形態では、フック片１３及び差し込み部１１のいずれか一方又は双方に芯材（図示省略）を設けることができる。芯材としては、ポリエステルやナイロン等の原料からなる化学繊維を用いた織布や不織布を用いることができる。フック片１３への芯材の配置は、フック片１３を含む取付片１５に芯材を積層して縫い付けることにより行うことができる。差し込み部１１への芯材の配置は、差し込み部１１の左右両側の布材に芯材を積層して縫い付けることにより行うことができる。
【００４７】
フック片１３や差し込み部１１に芯材を設けることにより、フック片１３自体や差し込み部１１周囲に張りを付与することができる。これにより、蓋フラップ３自体や差し込み部１１周囲の強度が向上して閉塞状態が安定すると共に、洗濯耐久性が向上する。
【００４８】
［第２実施形態］
図４は、本発明の第２実施形態のポケット開口部の閉塞構造１Ａを示す。
【００４９】
この実施形態において、ポケット本体２は、第１実施形態のポケット本体２と同様な構造となっている。すなわち、ポケット本体２の上端部分には、開口部７が形成されていると共に、開口部７と略平行な状態で開口部７に沿ったスリットからなる差し込み部１１がポケット本体２の上部に設けられている。
【００５０】
図４に示す閉塞構造１Ａにおいて、蓋フラップ３に取付片１５が縫い付けられ、この取付片１５にフック片２１が設けられるが、フック片２１は、四角形状の舌片形状となっている。四角形のフック片２１は、ポケット本体２の方向に伸びており、その長さＬが長くなるように設定されている。このような長さＬが長いフック片２１をポケット本体２の差し込み部１１に差し込むと、フック片２１とポケット本体２との係合部分が長くなる。このため、フック片２１がポケット本体２と強固に係合し、蓋フラップ３による開口部７の閉塞状態がしっかりと固定される。これにより、開口部７からの物の落下を確実に防止することができる。
【００５１】
なお、この実施形態においても、第１実施形態と同様に、フック片２１自体及び差し込み部１１の周囲のいずれか一方又は双方に芯材を設けることができる。これにより、フック片２１自体や差し込み部１１の周囲に張りを付与することができ、閉塞状態が安定すると共に、洗濯耐久性が向上する。
【００５２】
［第３実施形態］
図５は、本発明の第３実施形態のポケット開口部の閉塞構造１Ｂを示す。
【００５３】
この実施形態においても、ポケット本体２は、第１実施形態のポケット本体２と同様な構造となっている。すなわち、ポケット本体２の上端部分には、開口部７が形成されていると共に、開口部７と略平行な状態で開口部７に沿ったスリットからなる差し込み部１１がポケット本体２の上部に設けられている。
【００５４】
図５に示す閉塞構造においては、蓋フラップ３に設けられるフック片２２に特徴がある。フック片２２は、蓋フラップ３の取付片１５からポケット本体２の方向に伸びているが、伸びている先端側が丸くなっている一方、基部側（取付片１５側）２２ａが幅広となって幅方向に膨出した形状となっている。基部側２２ａの幅寸法は、ポケット本体２の差し込み部１１の長さと同等か、幾分異なるように設定される。
【００５５】
さらに、基部側２２ａが幅狭な連結部２２ｂによって取付片１５に連設されている。このようなフック片２２においては、幅広の基部側２２ａと取付片１５との間にクビレ部２３が形成される。
【００５６】
この実施形態において、巻き上げ状態の蓋フラップ３をポケット本体２側に降ろして蓋フラップ３によって開口部７を覆って閉塞する。この開口部７の覆い状態では、フック片２２が開口部７に向かった状態となるため、指等によりフック片２２を差し込み部１１に差し込む。この差し込みでは、幅広の基部側２２ａが差し込み部１１を通過した後、クビレ部２３が差し込み部１１に達して差し込みが停止する。
【００５７】
このような構造では、基部側２２ａが幅広となっていることからフック片２２がポケット本体２に引っ掛かった状態となるため、差し込み部１１から抜けにくくなっている。従って、フック片２２が差し込み部１１から外れることがない。このため、フック片２２とポケット本体２とが強固な係合状態となり、蓋フラップ３の閉塞状態が安定し、開口部７から物が落下することを確実に防止することができる。
【００５８】
開口部７を開放する場合には、蓋フラップ３を捲り上げることにより行うが、フック片２２が布材によって形成されているため、幅広の基部側２２ａが差し込み部１１を円滑に通過する。このため、開口部７の開放を容易に行うことができる。
【００５９】
なお、この実施形態においては、差し込み部１１の長さ方向の両端部分に縫糸を付加縫いしたり、差し込み部１１の長さ方向の両端部分に補強布を縫い付けることが良好である。これらの処理により、差し込み部１１の両端部に強度が付与されて変形しにくくなるため、フック片２２が不用意に差し込み部１１から抜け出ることを防止することができ、フック片２２の差し込み状体が安定する。
【００６０】
この実施形態においても、第１実施形態と同様に、フック片２１自体及び差し込み部１１の周囲のいずれか一方又は双方に芯材を設けることができる。これにより、フック片２１自体や差し込み部１１の周囲に張りを付与することができ、閉塞状態が安定すると共に、洗濯耐久性が向上する。
【００６１】
［第４実施形態］
図６は、本発明の第４実施形態を示す。この実施形態のポケット開口部の閉塞構造１Ｃでは、差し込み部１１及びフック片１３が複数設けられている。
【００６２】
差し込み部１１は、ポケット本体２の開口部７と略平行な状態で開口部７に沿っており、ポケット本体２の上部に対して２つが横並び状に設けられている。
【００６３】
フック片１３は、第１実施形態と同様な形状となっており、蓋フラップ３の取付片１５の幅方向に沿って２つが横並び状に設けられている。それぞれのフック片１３は、ポケット本体２の差し込み部１１に対応しており、蓋フラップ３が開口部７を覆った状態としてフック片１３を開口部に向ける。このことにより、各フック片１３を対応した差し込み部１１に差し込むことができる。
【００６４】
このように差し込み部１１及びフック片１３を２つ設けることにより、フック片１３が２箇所でポケット本体２と係合する。このため、蓋フラップ３が開口部７を覆った閉塞状態を確実に維持することができ、開口部７の閉塞状態が安定する。
【００６５】
なお、この実施形態では、差し込み部１１及びフック片１３を２つ設けているが、３つ以上設けても良い。
【００６６】
この実施形態においても、第１実施形態と同様に、フック片２１自体及び差し込み部１１の周囲のいずれか一方又は双方に芯材を設けることができる。これにより、フック片２１自体や差し込み部１１の周囲に張りを付与することができ、閉塞状態が安定すると共に、洗濯耐久性が向上する。
【００６７】
［第５実施形態］
図７は、本発明の第５実施形態を示す。この実施形態のポケット開口部の閉塞構造１Ｄにおいては、第１実施形態と同様のフック片１３が蓋フラップ３に設けられている。
【００６８】
これに対し、ポケット本体２には、差し込み部１１Ａがベルト片３１によって形成されている。ベルト片３１は、横細の布材からなり、長さ方向の両端部を折り返してポケット本体２の表側に縫い付けることにより、ポケット本体２に取り付けられる。ベルト片３１は、開口部７と略平行な状態で開口部７に沿ってポケット本体２の表側に設けられており、ベルト片３１とポケット本体２との間にはフック片１３の差し込みが可能となっている。
【００６９】
この実施形態では、開口部７を覆うように蓋フラップ３を降ろした後、蓋フラップ３による開口部７の覆い状態でフック片１３をベルト片３１とポケット本体２との間に差し込む。この差し込みにより、フック片１３とポケット本体２とがしっかりと係合するため、蓋フラップ３による開口部７の閉塞状態を安定して保持することができる。このため、開口部７からの物の落下を防止することができる。
【００７０】
このような実施形態では、差し込み部１１Ａをポケット本体２の表側に縫い付けたベルト片３１により構成しているため、フック片１３の差し込み操作が容易となる。又、ベルト片３１がポケット本体２のデザインを構成するため、ポケット本体２に装飾性を付与することができる。
【００７１】
この実施形態においても、第１実施形態と同様に、フック片２１自体及び差し込み部１１の周囲のいずれか一方又は双方に芯材を設けることができる。これにより、フック片２１自体や差し込み部１１の周囲に張りを付与することができ、閉塞状態が安定すると共に、洗濯耐久性が向上する。
【００７２】
[第６実施形態]
図８は、本発明の第６実施形態のポケット開口部の閉塞構造１Ｅを示す。
【００７３】
この実施形態の閉塞構造１Ｅは、第１実施形態の閉塞構造１に対し操作窓１７が形成されていない点が異なるだけであり、その他の構成は第１実施形態の閉塞構造と同様である。すなわち、蓋フラップ３においてはフック片１３が設けられるが、フック片１３の対応位置には、操作窓１７が形成されていない。
【００７４】
このような実施形態においても、蓋フラップ３が開口部７を覆った状態とし、この蓋フラップ３の開口部の覆い状態でフック片１３を開口部に向かうように操作してフック片１３を差し込み部１１に差し込む。この差し込みにより、開口部７の閉塞状態が安定するため、ポケット本体２内からの物の落下を防止することができる。
【００７５】
この実施形態においても、第１実施形態と同様に、フック片２１自体及び差し込み部１１の周囲のいずれか一方又は双方に芯材を設けることができる。これにより、フック片２１自体や差し込み部１１の周囲に張りを付与することができ、閉塞状態が安定すると共に、洗濯耐久性が向上する。
【００７６】
［他の実施形態］
以上の実施形態では、差し込み部１１，１１Ａをポケット本体２に設け、フック片１３，２１，２２を蓋フラップ３に設けているが、差し込み部１１，１１Ａを蓋フラップ３に設ける一方、フック片１３，２１，２２をポケット本体２に設けた逆の配置としても良い。この場合においても、開口部７の覆い状態でポケット本体２のフック片１３，２１，２２を蓋フラップ３の差し込み部１１，１１Ａに差し込んで係合させることができるため、同様な効果を得ることができる。
【００７７】
又、以上の実施形態では、ポケット本体２及び蓋フラップ３を上下方向に配置しているが、これらを左右の横方向に配置しても良く、斜めに配置しても良い。このような配置においても、フック片１３，２１，２２を差し込み部１１，１１Ａに差し込むことにより、開口部７の閉塞状態を維持することができる。
【符号の説明】
【００７８】
１，１Ａ，１Ｂ，１Ｃ，１Ｄ，１Ｅ  ポケット開口部の閉塞構造
２  ポケット本体
３  蓋フラップ
７  開口部
９  フラップ本体
１１、１１Ａ  差し込み部
１３、２１、２２  フック片
３１  ベルト片
【図１】
2011058127.tif 000003
【図２】
2011058127.tif 000004
【図３】
2011058127.tif 000005
【図４】
2011058127.tif 000006
【図５】
2011058127.tif 000007
【図６】
2011058127.tif 000008
【図７】
2011058127.tif 000009
【図８】
2011058127.tif 000010
【図９】
2011058127.tif 000011